(57)【要約】      （修正有）【課題】液体調味料の容器の噴霧器の圧縮装置において、シリンダー部内部のバネに樹脂製のバネを使用し、金属錆びの問題を解決した酸性液体調味料の噴霧器の圧縮装置構造を提供する。【解決手段】液体調味料の容器１３の口に接続する容器キャップ部１２と、内部に逆止弁２とピストン杵５とピストン杵５に接続されたバネ４とを備えたシリンダー部３と、シリンダー部３に逆止弁２を介して接続された吸引管１と、噴霧口１１を備えた押圧部１０と、容器キャップ部１２と押圧部１０とに接続された金属製ピストンバネ８と、噴霧口１１とシリンダー部３とを接続する液導管９とを備えた液体調味料の噴霧器の圧縮装置構造であって、シリンダー部３の内部のバネ４は、プラスチック製であることを特徴とする。【選択図】図１
0003190861.tif 000002
【実用新案登録請求の範囲】
【請求項１】
噴霧器の圧縮装置構造において、液体タンクから吸引管を通してシリンダー内部に液体を吸引し、液体タンクへの逆止弁に作動して、シリンダーの働きをする金属製のスプリングバネを、酸性液に強く防錆性に優れたプラスチックのバネを使用した容器を特徴とする。
【考案の詳細な説明】
【技術分野】
【０００１】  本考案は純粋な液状の食品噴霧器に関する。
【背景技術】
【０００２】  本申請では純粋な液体調味料のお酢とお醤油の噴霧を例にする。【０００３】  現在日本に糖尿病を患う者が９５０万人おり、予備軍を含めるとその数は１０５０万人と報道され、中高年では１０人に１人が糖尿病と言われて、国の社会保障制度での医療費負担増が社会的問題となっている。【０００４】  糖尿病は、血液中の血糖値が高いままで持続する病であり、長い間続くと、血管壁が傷付き、様々な血管の合併症を引き起こす原因となる。【０００５】  糖尿病は、自覚症状のないまま進行して、突然に糖尿病性腎症、網膜症、神経症の三大合併症を引き起こすとされ、何れも高血糖によって細小血管が障害される事が主な原因と言われる。【０００６】  糖尿病の人は、大血管の動脈硬化が進行しやすく、脳梗塞、心筋梗塞、下肢の血管閉塞が起こりやすく、その他の合併症として白内障、歯槽膿漏、肺結核などの感染症、骨粗症を起こしやすいと言われる。【０００７】  健康診断で糖尿病と診断された者は、日常の食べ過ぎ、高脂肪食、肥満、運動不足が要因とされて、食欲増進となるお醤油等の調味料には多くの塩分が含まれて、摂取量を微量に抑制されるが、食欲旺盛な年層ではコントロールが難しく、「のどが渇く、体重が減る、尿の量が多い」事で気付かれる事が多いと言われる。【０００８】  糖尿病から腎臓を患う者の多くが人工透析を必要として、東北震災では停電による透析を困難にして、社会的問題へと発展し、透析からの離脱促進が大切である。【０００９】  腎臓病には、これといった有効な薬はなく、ほとんど食事療法が中心となる。
また、同じ腎臓病でも、食事制限の内容や程度は病状によって異なり複雑であり、弱った腎臓に負担をかけないために蛋白質を減らす食事となり、食欲増進の調味料の使用が制限されて、味気のない蛋白な食事を常食とされ、長く続けられるかどうかは調理の工夫にあって、お醤油差しなどの容器の工夫も大切である。【００１０】  日本の食文化も地方で異なり、関西の薄味に対して、関東は濃厚な味が好まれて、雪の多い東北地方では副食の漬物も豊富にあり、冬には鍋物が多く、塩分摂取の過多が胃がん発病の原因とされる県もあり、塩分の摂取に関わる疾患は多い。【００１１】  従来の噴霧器構造は、圧縮装置として容器本体の内部に、水液吸上げの弁として球を装置する例が多く、開閉の上下作動に金属製のバネが使用されて、その中を水液が通過する。食塩を原料とするお醤油場合、酸性に弱い金属バネの中の通過は、金属錆が有害とされ、防錆性に優れたステンレスも耐久性に弱く、食の安心安全から不向きとされる。【００１２】  噴霧器は、粉状、泡状、液状に分類され、用途によって圧縮装置の構造は若干異なるが、何れも金属製のバネが使用されいて、酸性の液状での使用は見当たらない。【００１３】  噴霧器の噴出部の構造は、粉状、泡状、液状によって異なり、液状の場合は、混合原料や成分によって流動性が異なり、香辛料の混合や凝固性のあるものは、噴出口をふさいでその効果を果たせぬ事がある。【００１４】  噴霧器の容器本体の中に溶液を放置した場合に、化学的反応で変化し、又は噴出口の部分に残留した溶液を放置すると、凝固して噴出口先を塞ぐ事がある。【００１５】  噴霧器の噴出部の口径が大きすぎると、液体が細い糸状となって射出され、噴霧の役割を果たさぬ事がある。
【考案の概要】
【考案が解決しようとする課題】
【００１６】  お醤油差し容器の口先から注がれる一滴を、噴霧器に変える事で、一滴のお醤油を広範囲に均一に拡散噴霧して、使用量を減らす事で減塩となり、食塩摂取量を抑制して、糖尿病を誘発する過食、高脂肪食、肥満を防止する。【００１７】  噴霧器を使用する事で、食塩摂取量を抑制して、糖尿病が起因とされる大血管の動脈硬化と、脳梗塞、心筋梗塞、下肢の血管閉塞を弱めて、糖尿病性腎症、網膜症、神経症の合併症を抑制する。【００１８】  噴霧器を使用する事で、塩分摂取量を抑制して、糖尿病から腎臓を患い人工透析を必要とする患者を減らす。【００１９】  年々増加の傾向にある糖尿病を患う者を減少に促進して、国の社会保障制度での医療費負担の減少を図る。【００２０】  胃癌発病原因は、塩分摂取の過多にあるとされて、噴霧器で減塩して発病を予防する。【００２１】  市販で販売される、お醤油やお酢を詰めた容器は、最小のもので１００ｍｌのプラ容器に、１７０ｍｌ詰めのガラス容器であり、飲食店内に持ち込むにはいささか気になるところであるが、５０ｍｌ程度の容器は携帯に便利であり、容器内部での経時変化を防いで新鮮さを保ち、糖尿病を患う者や予備軍と診断された多くの者に、食での安心安全を提供して、塩分摂取量の過多が引き起こす多くの問題を解決する。
【課題を解決するための手段】
【００２２】  酸性のお醤油やお酢に、噴霧器を使用する場合は、圧縮機構に錆に強い樹脂系（プラスチック）のバネを使用する。【００２３】  醤油醸造メーカーによって塩分濃度の高いものがあり、事前調査で低塩分の商品を選択する。【００２４】  醤油醸造メーカーによって使用原料や醸造法、原液濾過装置と品質管理が異なり、噴霧器での散布においてムラがあり、事前調査で精製精度の高い商品を選択する。【００２５】  噴霧器の製造に当たっては、一滴の噴霧で散布する量によって、圧縮力は異なり、使用する「バネ」も「板バネ」「スプリングバネ」「ジャバラバネ」の中から適性なものを選択する。
【考案の効果】
【００２６】  本考案は、酸性液に対して防錆性に優れ、健常者は個々の好みにお酢とお醤油を混合して、均一に噴霧で拡散して、健康を害する塩分を自由に減らす事ができる。【００２７】  本考案は、糖尿病の病状の程度によって、お醤油の塩分を薄めたり、お酢との配合率を自由に変える事ができる。【００２８】  本考案は、人間が個々に持つ、体質に合った調味料を日常的に使用することで、塩分摂取量がコントロールされて、糖尿の発病を事前に抑制することができる。【００２９】  本考案は、糖尿の発病を事前に抑制することで、人工透析から離脱する事が可能となる。【００３０】  本考案は、携帯が可能であり、食事時に適宜に使用が出来て、社内給食や外食先での使用を容易にした。
【考案を実施するための形態】
【００３１】  本考案は、家庭料理での調理において減塩は大切ではあるが、ご家族には健常者もいて、皆が薄味では食欲不振の原因となり、不満な者もいて、糖尿病又は予備軍と診断された者への減塩対策に、お料理の味付けの段階で料理を二分して、お醤油の使用を限定される者は、食卓に常備された一滴のお醤油を均一に散布拡散する噴霧器を使用して、従来のお醤油差しの容器を別にする事で、日常の生活習慣を変えた。
《設定条件》
市販のプラスチック製スプレーと噴霧器に、調味料のお醤油とお酢を使用した。
【実施例１】
【００３２】  スプレー器を使用した実験では、お醤油もお酢も細い糸に放出されて、噴霧の状態にはならなかった。【００３３】  スプレー器を使用した、香辛料を混入したドレッシングの実験では、ノズルの液導管内に香辛料が溜って、糸状の放出も困難であった。【００３４】  噴霧器を使用した実験では、お醤油もお酢も噴霧の状態となった。
【実施例２】
【００３５】  ピストンの上下作動で、シリンダーの働きをする金属製のスプリングバネを、防錆性に優れたプラスチック製の板バネに変えた実験では、液タンクから吸引して噴霧する事ができた。【００３６】  上記の実験から、プラスチック製のスプリングバネとジャバラバネを、金属製バネに代わる部品としての使用を可能にした。
【産業上の利用の可能性】
【００３７】  糖尿病と診断され、食塩の摂取量を制限されたものの、調味料の多くに食塩が混合されて、メーカー選別では、風味や味に従来より口に慣れ親しんだ商品が選ばれているが、減塩対策では、商品に表示された塩分量によって選択されていた。
本考案はそれらの問題と向き合い，ＱｕａｌｉｔｙＣｏｎｔｒｏｌとｖａｌｕｅａｎａｌｙｓｉｓ手法で現実の中に真実を追究して原理原則の確認では、高齢者の多くが糖尿病を患い不安な日々を送られる中で、禁煙、禁酒、減食を口にしながら耐えられずにいて、減塩対策を協議して調理での噴霧効果を実験して、噴霧器の考案を思いつく。
年々増加の傾向にある糖尿病の発病を予防し、また抑制には醤油醸造メーカーの研究は不可欠であり、問題解決に取組まなければならないが、店頭では減塩醤油しか見受けず、本考案をメーカーが採用に踏み切る事で、競争激化の業界に生残る事を可能にして、噴霧器の使用で現行商品の付加価値をより高める事で、占拠市場の維持を可能にする。
本考案は従来の金属製のバネを錆防止に樹脂製に改良したものではあるが、糖尿病に関わるこれまでの厄介な問題を解決した事で、購買量の増加に期待され、減塩効果に融合する出汁を開発する事でより期待は高まります。
加工コストは高くなるが、本考案の液体容器の底に浮上の浮を沈め、シリンダーの先端まで液体を満杯にして、押圧部を上下に作動して液体を噴霧口から射出する事により、浮の底が真空状態となって浮上し、液体タンク内を常に満杯にして、新鮮さを維持する事が出来る。但し、容器の底に気孔があり、浮には耐摩耗性と密封性が求められる。
【図面の簡単な説明】
【００３８】
【図１】本考案の噴霧器における請求項１記載の実施状況を示す横断面図である。
【図２】本考案を調味料の噴霧に使用する場合に、液体濃度や噴霧量によって吸引力が異なり、メーカーは適正なバネを選択する。
【符号の説明】
【００３９】１  吸引管                              ９  液導管
２  逆止弁                              １０  押圧部
３  シリンダー部                        １１  噴霧口
４  板バネ                              １２  容器キャップ部
５  ピストン杵                          １３  容器本体
６  密封シールパッキン                  １４  液体タンク
７  ゴムパッキン
８  ピストンバネ
【図１】
0003190861.tif 000003
【図２】
0003190861.tif 000004
【手続補正書】
【提出日】平成26年3月13日(2014.3.13)
【手続補正２】
【補正対象書類名】実用新案登録請求の範囲
【補正対象項目名】全文
【補正方法】変更
【補正の内容】
【実用新案登録請求の範囲】
【請求項１】
液体調味料の容器（１３）の口に接続する容器キャップ部（１２）と、内部に逆止弁（２）とピストン杵（５）と前記ピストン杵（５）に接続されたバネ（４）とを備えたシリンダー部（３）と、前記シリンダー部（３）に前記逆止弁（２）を介して接続された吸引管（１）と、噴霧口（１１）を備えた押圧部（１０）と、前記容器キャップ部（１２）と前記押圧部（１０）とに接続された金属製ピストンバネ（８）と、前記噴霧口（１１）と前記シリンダー部（３）とを接続する液導管（９）とを備えた液体調味料の噴霧器の圧縮装置構造であって、前記シリンダー部（３）の内部のバネ（４）は、プラスチック製であり、前記圧縮部（１０）を押圧する事によって前記シリンダー部（３）内の調味料は前記ピストン杵（５）によって圧縮されて、前記液導管（９）を通って前記噴霧口（１１）から噴霧され、その後、前記ピストンバネ（８）が伸びる事によって、前記ピストン杵（５）が上昇し、液体調味料が吸引管（１）から前記逆止弁（２）を通って前記シリンダー部（３）の内部に吸引される事を特徴とする酸性液体調味料の噴霧器の圧縮装置構造。